(57)【要約】【課題】撮像部や表示部の向きによって撮像画像や表示画像の向きを変更し、常に適切な画像を送信または表示する電話装置を提供する。【解決手段】電話装置において、撮像部１は撮像した被写体に関する画像データを送信画像回転部３に出力する。送信画像回転部３は、撮像鉛直方向検出部２により検出された撮像部１鉛直方向に基づいて、撮像部１の鉛直方向の上側を相手側に送信する画像の上側となるように撮像画像を回転処理し画像信号を生成する。相手側から受信した画像信号は復調され、受信画像回転部５に出力される。受信画像回転部５は、撮像鉛直方向検出部２の撮像部１の鉛直方向に基づいて、つまり表示部６の向きに基づいて、受信された画像の上側を表示部６に対して鉛直方向の上側となるように回転処理を行う。【選択図】図１
2006197623.tif 000002
【特許請求の範囲】
【請求項１】
屈曲部を設け折り畳み可能に構成された電話装置において、
前記電話装置の向きを検出する検出手段と、
画像信号を受信し復調して受信画像信号を得る通信手段と、
前記検出手段によって検出された電話装置の向きに基づいて、前記受信画像の向きが正常に表示できるように前記受信画像の上側が鉛直方向の上側に表示されるよう前記通信手段から得られた前記受信画像信号の前記受信画像の向きを回転させる回転手段と、
前記電話装置の本体の長手方向の一側面を水平に設置した場合には前記受信画像の回転処理を行うことなく前記受信画像の上側が前記表示手段の鉛直方向の上側に表示されるよう前記電話装置本体に設けられた前記回転手段から得られた前記受信画像を表示する表示手段と
を備えたことを特徴とする電話装置。
【請求項２】
前記電話装置の本体の長手方向の一側面を水平に設置した場合に前記電話装置の本体の鉛直方向の上側となる位置にアンテナを備えたことを特徴とする請求項１記載の電話装置。
【発明の詳細な説明】
【技術分野】
【０００１】
本発明は、映像情報及び音声情報を送受信する電話装置に関する。
【背景技術】
【０００２】
近年において、ＩＳＤＮ（ integrated services digital network )等の多チャンネル方式により音声情報および映像情報を送受信可能なディジタル回線が実用化され、それに伴いテレビ電話装置が幅広く普及するようになってきた。テレビ電話装置は少なくとも、自身側（テレビ電話装置の使用者側）から撮像手段により撮像した映像および音声を相手側に送信する送信手段と、相手側からの映像および音声を受信する受信手段と、受信した映像をディスプレイなどに映す表示手段とを有して構成されている。この表示手段には、液晶パネルが軽くて薄い等の利点から多く使用されているが、この液晶パネルはブラウン管に比べ視野角が狭く、また液晶材料がもつ特性から垂直方向と水平方向とでは視野角に差があり、一方の視野角は一層狭くなるという性質がある。それゆえ、複数の観察者がいる場合、中心にいる観察者は鮮明な映像を見ることができるが、その他の周囲の観察者は鮮明な映像を見ることができない等の問題があった。
【０００３】
このような問題に対し、特開平５−５６４２４号公報には、切換回路と回転板とを備えたテレビ電話装置が開示されており、切換回路で液晶パネルの水平と垂直との２辺に入力する画像信号の入力の関係を反転させ、回転板でテレビ電話装置本体に対して液晶パネル自体の縦横の位置関係を変更することにより、縦横の長さが異なる矩形に形成された液晶パネルに映し出された映像を都合よく観察することができる。
【０００４】
従来のテレビ電話装置の構成を図９に示す。従来のテレビ電話装置は、映像情報を表示するためのモニタとして用いられる液晶パネル２２と、この液晶パネル２２に表示される映像の水平方向と垂直方向とを切換える切換回路２３と、液晶パネル２２を搭載する回転板２４とを有して構成される。この切換回路２３は、液晶パネル２２の水平と垂直との２辺に入力する画像信号の入力の関係を反転し、液晶パネル２２に表示される映像の水平方向と垂直方向とを切換える。また、回転板２４は、液晶パネルを搭載して回転することにより、テレビ電話装置本体に対して液晶パネル２２自体の縦横の位置関係を変更する。このような構成により、視野角の方向性が避けられない液晶パネルのような液晶表示装置に対して、映像の水平及び垂直の表示関係を正しく保ちながら液晶パネルの縦横の関係を変更することで、視野角の性質を効果的に利用した映像表示を行わせることが可能となる。
【０００５】
【特許文献１】特開平５−５６４２４号公報
【発明の開示】
【発明が解決しようとする課題】
【０００６】
上記のようなテレビ電話装置、特に携帯可能なテレビ電話装置を使用して通話を行う場合、使用者は、テレビ電話装置の受話器を耳にあてて通話を行う（以下、接話と記載する）か、または主にテレビ電話として使用するためにテレビ電話装置本体を置いて手に持たずに通話を行う（以下、ハンズフリーと記載する）。携帯可能なテレビ電話装置の形状としては、直方体の棒状のものが多く、たとえばハンズフリーで通話をする場合、使用者は、テレビ電話装置を動かないように安定した状態、すなわち筐体の長手方向を設置面に対して水平方向又は鉛直方向に置くことが多い。
【０００７】
このようにテレビ電話装置本体の向きは通話の形態により異なり、テレビ電話装置本体に設けられた撮像手段および表示手段の向きも変わることとなる。したがって、撮像手段
が撮像した画像の向きを正常な向きの画像になるように処理して送信する必要があり、また表示手段で表示される映像が正常な向きで表示されるように処理する必要がある。しかしながら、上記従来のテレビ電話装置では、通話の形態に応じて、撮像手段で撮像した画像（以下、単に撮像画像という。）の方向を変えたり、表示手段で相手側から受信した画像（以下、受信画像という。）を表示する方向を変えたりすることができない。そのため、撮像した画像の向きが不自然なまま相手側に送信されたり、また表示した画像の向きが不自然になるなどの問題点がある。
【０００８】
本発明は、上記問題を解決するもので、撮像手段や表示手段の向きによって、撮像画像や受信画像の向きを変更でき、常に適切な画像を送信または表示することが可能な電話装置を提供することを目的とする。
【０００９】
また、本発明の他の目的は、撮像手段や表示手段の向きに応じて適した受話手段および送話手段を選択する、つまり受信音声を耳に近接して用いるレシーバで再生し、送信音声を口に近接して用いるマイクで集音する通話形態である接話と、受信音声を耳から遠ざけて用いるスピーカで再生し、送信音声を口から遠ざけて用いるマイクで集音する通話形態であるハンズフリー通話とを選択することが可能なテレビ電話装置を提供することである。
【課題を解決するための手段】
【００１０】
前述した目的を達成するために、本発明の電話装置は、屈曲部を設け折り畳み可能に構成された電話装置において、前記電話装置の向きを検出する検出手段と、画像信号を受信し復調して受信画像信号を得る通信手段と、前記検出手段によって検出された電話装置の向きに基づいて、前記受信画像の向きが正常に表示できるように前記受信画像の上側が鉛直方向の上側に表示されるよう前記通信手段から得られた前記受信画像信号の前記受信画像の向きを回転させる回転手段と、前記電話装置の本体の長手方向の一側面を水平に設置した場合には前記受信画像の回転処理を行うことなく前記受信画像の上側が前記表示手段の鉛直方向の上側に表示されるよう前記電話装置本体に設けられた前記回転手段から得られた前記受信画像を表示する表示手段とを備えたことを特徴とするものである。
【００１１】
また、本発明の電話装置は、前記テレビ電話装置の本体に設けられたアンテナが上側となるように設置した場合を前記基準方向とすることを特徴とするものである。
【００１２】
また、本発明の電話装置は、被写体を撮像し該被写体の像に応じた送信画像信号を生成する撮像手段と、前記送信画像信号および受信画像信号を送受信する通信手段と、前記通信手段から受信した受信画像信号に基づき映像情報を表示する表示手段と、備えたテレビ電話装置において、前記テレビ電話装置の向きを検出する検出手段と、前記検出手段によって検出されたテレビ電話装置の向きに基づいて、前記送信画像信号および前記受信画像信号の少なくとも一方における画像の向きを回転させる回転手段とを備えることを特徴とするものである。
【００１３】
本発明の電話装置では、電話装置の向きに応じて、撮像手段によって撮像した画像および／または相手側から送られてきた画像を回転させる。したがって、電話装置が通話の形態によって様々な向きで使用された場合でも、撮像した画像が正常な向きで送信され、また相手側から送られてきた画像が正常な向きで表示される。
【００１４】
また、本発明の電話装置は、前記テレビ電話装置の向きを検出する検出手段は、前記撮像手段の鉛直方向を検出する撮像方向検出手段を有してなることを特徴とするものである。
【００１５】
本発明の電話装置では、撮像方向検出手段により撮像手段の鉛直方向を検出することで、電話装置本体の向きおよび表示手段の向きを決定する。そして、撮像手段の向きに応じて撮像画像を回転させ、また、表示手段の向きに応じて相手側から送られてきた受信画像を回転させる。したがって、電話装置が通話の形態によって様々な向きで使用された場合でも、撮像画像が正常な向きで送信され、また相手側から送られてきた受信画像が正常な向きで表示される。
【００１６】
また、本発明の電話装置は、前記電話装置の向きを検出する検出手段は、前記表示手段の鉛直方向を検出する表示方向検出手段を有してなることを特徴とするものである。
【００１７】
本発明の電話装置では、表示方向検出手段により表示手段の鉛直方向を検出することで、電話装置本体の向きおよび撮像手段の向きを決定する。そして、撮像手段の向きに応じて撮像画像を回転させ、また、表示手段の向きに応じて相手側から送られてきた受信画像を回転させる。したがって、電話装置が通話の形態によって様々な向きで使用された場合でも、撮像画像が正常な向きで送信され、また相手側から送られてきた受信画像が正常な向きで表示される。
【００１８】
また、本発明の電話装置は、前記回転手段は、前記電話装置の向きに基づいて、前記送信画像信号の向きを回転させる送信画像回転手段を有してなることを特徴とするものである。
【００１９】
本発明の電話装置では、電話装置の向きに基づいて、撮像画像に基づく送信画像信号の向きを回転する。したがって、電話装置が通話時の設置形態によって様々な向きで使用された場合でも、撮像画像が正常な向きで送信される。
【００２０】
また、本発明の電話装置は、前記回転手段は、前記電話装置の向きに基づいて、前記受信画像信号の向きを回転させる受信画像回転手段を有してなることを特徴とするものである。
【００２１】
本発明の電話装置では、電話装置の向きに基づいて、受信画像に基づく受信画像信号の向きを回転する。したがって、電話装置が通話の形態によって様々な向きで使用された場合でも、相手側から送られてきた受信画像が正常な向きで表示される。
【００２２】
また、本発明の電話装置は、前記通信手段から受信した受信音声信号を再生する第１の受話手段と、前記通信手段から受信した受信音声信号を第１の受話手段とは異なる信号レベルに再生する第２の受話手段と、前記電話装置の向きに基づいて前記第１の受話手段と前記第２の受話手段とを切り換える受話切換手段とを備えることを特徴するものである。
【００２３】
本発明のテレビ電話装置では、電話装置の向きに基づいて、第１の受話手段と第２の受話手段とを切換えるものである。したがって、電話装置の通話形態によって、使用者が状況に適した通話を行うことができる。
【００２４】
または、前記第１の受話手段と第２の受話手段とを一つの受話手段で構成し、電話装置の向きに基づいて電話装置の使用形態を検出して、受話切換手段により受信した音声信号の信号レベルを切換えるように構成することもできる。したがって、一つの受話手段のみで、使用者が電話装置の通話形態に適した通話を行うことができる。
【００２５】
また、本発明の電話装置は、音声を電気信号に変換して送信音声信号を生成する第１の送話手段と、音声を電気信号に変換して第１の送話手段とは異なる信号レベルの送信音声信号を生成する第２の送話手段と、前記電話装置の向きに基づいて前記第１の送話手段と前記第２の送話手段とを切り換える送話切換手段とを備えることを特徴するものである。
【００２６】
本発明の電話装置では、電話装置の向きに基づいて、第１の送話手段と第２の送話手段とを切換えるものである。したがって、電話装置の通話形態によって、使用者が状況に適した通話を行うことができる。
【００２７】
または、前記第１の送話手段と第２の送話手段とを一つの送話手段で構成し、電話装置の向きに基づいて電話装置の使用形態を検出して、送話切換手段により送信する音声信号の信号レベルを切換えるように構成することもできる。したがって、一つの送話手段のみで、使用者が電話装置の通話形態に適した通話を行うことができる。
【００２８】
また、本発明の電話装置は、前記受話切換手段は、撮像手段検出手段により検出した撮像手段の鉛直方向に基づいて、前記第１の受話手段と第２の受話手段とを切り換える撮像受話切換手段を有してなることを特徴するものである。
【００２９】
本発明の電話装置では、撮像手段の向き、つまり電話装置本体の向きに基づいて電話装置の使用形態を検出し、第１の受話手段と第２の受話手段とを切換えるものである。したがって、電話装置の通話形態によって、使用者が状況に適した通話を行うことができる。
【００３０】
また、本発明の電話装置は、前記受話切換手段は、表示受話切換手段であり、表示手段検出手段からの表示手段の鉛直方向または水平方向に基づいて、前記第１の受話手段と第２の受話手段とを切り換えることを特徴するものである。
【００３１】
本発明の電話装置では、表示手段の向き、つまり電話装置本体の向きに基づいて電話装置の使用形態を検出し、第１の受話手段と第２の受話手段とを切換えるものである。したがって、電話装置の通話形態によって、使用者が状況に適した通話を行うことができる。
【００３２】
また、本発明の電話装置は、前記送話切換手段は、撮像手段検出手段により検出した撮像手段の鉛直方向に基づいて、前記第１の送話手段と第２の送話手段とを切り換える撮像送話切換手段を有してなることを特徴するものである。
【００３３】
本発明の電話装置では、撮像手段の向き、つまり電話装置本体の向きに基づいて電話装置の使用形態を検出し、第１の送話手段と第２の送話手段とを切換えるものである。したがって、電話装置の通話形態によって、使用者が状況に適した通話を行うことができる。
【００３４】
また、本発明の電話装置は、前記送話切換手段は、表示手段検出手段により検出した表示手段の鉛直方向に基づいて、前記第１の送話手段と第２の送話手段とを切り換える表示送話切換手段を有してなることを特徴するものである。
【００３５】
本発明の電話装置では、表示手段の向き、つまり電話装置本体の向きに基づいて電話装置の使用形態を検出し、第１の送話手段と第２の送話手段とを切換えるものである。したがって、電話装置の通話形態によって、使用者が状況に適した通話を行うことができる。
【発明の効果】
【００３６】
以上のように本発明によれば、電話装置は、撮像部や表示部の向きによって、撮像画像や受信画像の向きを変更でき、常に適切な画像を送信または表示することが可能な電話装置を提供することができるという効果がある。
【００３７】
また、本発明は、撮像手段や表示手段の向きに応じて適した受話手段および送話手段を選択することができる。
【発明を実施するための最良の形態】
【００３８】
以下、図面を参照して、本発明の実施の形態を説明する。本発明の実施の形態に係る電話装置は、例えば、パーソナルハンディーホンや携帯電話等の移動体通信装置として使用されるものであり、特に携帯可能な装置に好適である。
【００３９】
[ 第１の実施の形態 ]
第１の実施の形態における電話装置は、撮像手段の鉛直方向に基づいて、撮像画像および受信画像を回転処理することにより、電話装置の通話の形態にかかわらず、撮像画像および受信画像を正常な状態で送信および表示することができるものである。図１は本発明の第１の実施の形態に係る電話装置の構成を示すブロック図、図２は撮像鉛直方向検出部の一構成を示す縦断面図、図３は電話装置本体１０の設置例を示す斜視図、図４は着脱可能な撮像部１ｂを有する電話装置本体１０の設置例を示す斜視図である。
【００４０】
図１に示すように、第１の実施の形態の電話装置は、被写体を撮像し、被写体の像に応じた画像信号を生成する撮像手段に該当する撮像部１と、この撮像部１の鉛直方向を検出し、電話装置本体の向きを決定するための撮像方向検出手段に該当する撮像鉛直方向検出部２と、撮像部１からの画像信号を受け取り、前記撮像鉛直方向検出部２によって検出された撮像部１の鉛直方向に基づいて回転処理を行う送信画像回転手段に該当する送信画像回転部３と、無線又は有線回線である通信回線を介して、自身側から送る画像信号（送信画像信号）を変調して送信を行う通信手段に該当する通信部４とを有して構成される。
【００４１】
また、無線又は有線回線である通信回線を介して、相手側から送られてくる画像信号（受信画像信号）を受信し復調を行う通信部４と、この復調された画像信号を受け取り回転処理を行う受信画像回転手段に該当する受信画像回転部５と、回転処理を施した画像信号を映像として表示する表示手段に該当する表示部６とを備える。なお、ここでは、電話装置の向きとして、電話装置本体と撮像部及び表示部との向きが同じであるとする。
【００４２】
電話装置における送信動作および受信動作について以下に説明する。
（送信動作）
画像の送信を行う際には、まず、被写体を撮像部１で撮像する。該撮像部１はさらに撮像した被写体に関する画像データを電気的信号に変換して画像信号を生成し、その画像信号を送信画像回転部３に出力する。このとき、撮像鉛直方向検出部２は撮像部１の鉛直方向を検出し、その結果を送信画像回転部３および受信画像回転部５に出力する。この撮像鉛直方向検出部２は、たとえば、水銀と電極との接点を利用して鉛直方向を検出するものである。図２に示すように、撮像鉛直方向検出部２は、ガラスなどにより構成された筐体７と、この筐体７内に内包された水銀８と、筐体７の壁面を貫通するように上下左右に設けられた電極対９Ａ、９Ｂ、９Ｃ、９Ｄとを有して構成される。水銀８にかかる重力によって、図示するように水銀８は筐体７内の下方に位置し、電極対９Ａを短絡するように作用する。このことは、他の電極対に対しても同様に作用し、筐体内の下方に位置する電極
対が水銀により短絡される。したがって、この短絡を検出することにより、たとえば図２において電極対９Ａが下側であることを検出することができる。つまり、水銀により短縮されている部分は筐体内において鉛直方向の下側を示し、鉛直方向の検出が可能となる。
【００４３】
再び図１を参照して、上記のように検出された撮像部の鉛直方向の情報と、撮像部によって撮像された撮像画像の画像信号とを受信した送信画像回転部３は、撮像部の鉛直方向の情報に基づいて、撮像画像において撮像部１の鉛直方向の上側、すなわち被写体の鉛直方向の上側が相手側に送信する画像の上側となるように、画像信号を回転処理する。そして、送信画像回転部で処理された画像信号は、通信部４で変調され、通信回線を介して相手側に送信される。
【００４４】
なお、前記撮像鉛直方向検出部２は、図２に示した水銀を利用したものに限定されるものではない。たとえば、他の鉛直方向検出方法としては、ハフ変換（ Haugh transform）を用いて、撮像部１により得られた画像のエッジ部分を抽出し、一定以上の頻度で現れる直線を抽出して、直線の角度の統計を取り、もっとも頻繁に検出された角度を鉛直方向とする方法がある。撮像部により被写体を撮像する場合、ビルなどの建物が背景としてあるいはそれ自体が被写体となる。これらの建物は一般的には鉛直に建っているため撮像画像は、鉛直方向の直線を多く含むことになる。したがって、ハフ変換を用いて、撮像画像に含まれる様々な角度の直線を抽出し最も多く現れた角度の直線を鉛直方向と見なすことができ、それによって鉛直方向を検出することが可能になる。しかしながらこのハフ変換を用いた鉛直方向検出方法は、１８０度回転した場合も同じ結果となる。それゆえ、たとえば、電話装置本体の設置角度を垂直から右側面を下にするまでの９０度以内に制限される。ハフ変換についての詳しい説明は、周知の技術であるため省略する。
【００４５】
（受信動作）
画像の受信を行う際には、まず、通信部４によって受信した画像信号を復調し受信画像回転部５に出力する。復調された画像信号を受信した受信画像回転部５は、前記撮像鉛直方向検出部２より検出された撮像部１の鉛直方向の情報に基づいて、つまりテレビ電話装置本体の向きおよび表示部６の向きの情報に基づいて、受信画像の上側が表示部６の鉛直方向の上側に表示されるように、すなわち相手側から送られてきた映像が自身側で正常に表示できるように、画像信号の回転処理を行う。そして、回転処理を施した画像は、表示部６において映像として表示される。
【００４６】
次に、本実施形態における電話装置の設置例の第１例を、図３を参照して説明する。図３において、第１例の電話装置は、電話装置本体１０と、この電話装置本体１０内に備えられた撮像部１ａと、撮像鉛直方向検出部２ａと、表示部６ａとを有して構成され、電話装置本体１０は、ハンズフリーで用いる場合、図３（ａ）〜（ｃ）に示す第１〜第３の設置例のように置かれる。図において、図１に含まれる手段と同様の作用をするものについては、その説明は省略する。
【００４７】
図３（ａ）は、電話装置本体の上面（アンテナ側）が図において左側にくるように、電話装置本体１０の長手方向を設置面に対して水平に置いた例である。以下、この図３（ａ）の設置例を基準として説明する。すなわち、図３（ａ）において、撮像部１ａにより撮像された被写体１１の画像データは、回転処理を行うことなく送信画像１２として正常な向きで送信される。また、通信部４を介して受信した画像は回転処理を行うことなく、正常な向きで表示されるものとする。
【００４８】
図３（ｂ）の第２の設置例は、図３（ａ）の第１の設置例に対し、１８０度回転して設置された場合を示している。この場合、撮像部１ａにより撮像された写体１１は、１８０度反転した画像、すなわち被写体１１の上下が逆さになった画像として送信画像回転部３
に出力される。したがって、送信画像回転部３は、撮像鉛直方向検出部２ａにより検出された撮像部１ａの鉛直方向に基づいて、撮像部１ａの鉛直方向の上側、すなわち被写体１１の鉛直方向の上側となる方向を送信する画像の上側となるように被写体１１の画像信号を回転処理し、通信部４を介して送信画像１２として相手側に送信する。
【００４９】
一方、相手側から送信され通信部４で受信された受信画像は、表示部６ａが正常な向きとは１８０度反転しているため、このまま表示されると１８０度反転した画像となって表示されることになる。したがって、受信画像回転部５は、撮像鉛直方向検出部２ａにより検出された撮像部１ａの鉛直方向に基づいて、つまり表示部６ａの向きの情報に基づいて、受信画像の上側が表示部６ａの上側になるように、受信画像に基づく画像信号を回転処理する。これにより、回転処理された画像は、図示するように、表示部６ａで正常な向きで表示される。
【００５０】
図３（ｃ）の第３の設置例は、図３（ａ）で示した電話装置本体１０の第１の設置位置を反時計回りに９０度回転した場合である。したがって、送信画像回転部３での画像の回転処理は、基準方向の画像（すなわち図３（ａ）の撮像手段１ａで撮像された撮像画像）に対し撮像画像を時計周りに９０度回転させる処理を行う。また、受信画像回転部５では、基準方向の画像（すなわち図３（ａ）の表示部６ａで表示される画像）に対し受信画像を時計周りに９０度回転させる処理を行う。
【００５１】
このように、撮像部１ａの向き（すなわち、電話装置本体の向き）に応じて、常に撮像された被写体の上側が送信する画像の上側となるように変換し、また、受信された画像が表示部６ａに表示される場合に正常に表示されるように変換することで、使用者が正常な画像を送信するまたは表示することが可能となる。
【００５２】
なお、電話装置は、屈曲部を設け折畳み可能に構成されているが、これに限定されるものではない。また、撮像部１ａは、図に示したように、屈曲する部分を中心としてボタン側に設けられているが、表示部６ａ側に設けることも可能であり、この構成を限定するものではない。さらに、撮像部１ａは、所定の角度に傾斜させ得るように構成され、使用者の位置に応じた任意の角度で撮像することが可能なように設けてもよい。また、撮像鉛直方向検出部２ａは、電話装置本体１０の正面や背面に設置することも可能であり、この構成を限定するものではない。
【００５３】
次に、本実施形態における電話装置の設置例の第２例を、図４を参照して説明する。第２例における電話装置は、撮像手段の鉛直方向に対する電話装置本体および表示部の向きに基づいて、撮像画像および受像画像を回転処理することにより、電話装置の通話の形態にかかわらず、撮像画像および受信画像を正常な状態で送信および表示することができるものである。図４（ａ）〜（ｃ）はそれぞれ、撮像部１ｂが着脱可能に構成された電話装置をハンズフリーで用いる場合の第１〜第３の設置例を示している。なお、第１例に含まれる手段と同様の作用をするものについては、その説明は省略する。
【００５４】
図４において、電話装置は、電話装置本体１０の上面（アンテナ側）および左右側面に設置可能に設けられた撮像部１ｂと、電話装置本体１０の接続端子を兼ね、撮像部１ｂが接続された端子により撮像部１ｂの鉛直方向を検出する（つまり電話装置本体の向きおよび表示部の向きを検出する）撮像鉛直方向検出部２ｂと、この表示部の向きに基づいて、図示しない受信画像回転部により回転処理を施した画像信号を映像として表示する表示部６ｂとを備えて構成される。
【００５５】
第２の実施例では、撮像部１は、電話装置本体に着脱可能に構成され、撮像部が電話装置本体のどこに差し込まれたかにより電話装置本体の向きを定めるものである。つまり、撮像部が電話装置の右側面に接続された場合には、電話装置の左側面を下にして置くと想定し、それに合うように受信画像回転部５によって、受信画像を回転させる。なお、撮像部１は、被写体が正常に撮像されるように使用者により自由に設置されるため、撮像画像の回転処理を行う必要はない。
【００５６】
図４（ａ）は、電話装置本体の上面が図において左側にくるように、電話装置本体１０の長手方向を設置面に対して水平に置いた例であり、この図４（ａ）の設置例を基準とすると、図４（ａ）において、撮像部１ｂにより撮像された被写体１１の画像データは、送信画像１２として正常な向きで送信され、通信部を介して受信した画像は、回転処理を行うことなく、正常な向きで表示される。
【００５７】
図４（ｂ）の第２の設置例は、図４（ａ）の第１の設置例に対し、１８０度回転して設置された場合を示している。この場合、相手側から送信され通信部４で受信された受信画像は、表示部６ｂが正常な向きとは１８０度反転しているため、このまま表示されると１８０度反転した画像となって表示されることになる。したがって、受信画像回転部５は、撮像鉛直方向検出部２ｂにより検出された撮像部１ｂの鉛直方向に基づいて、つまり表示部６ｂの向きに基づいて、受信画像の上側が表示部６ｂの上側になるように、受信画像に基づく画像信号を回転処理する。これにより、回転処理された画像は、図示するように、表示部６ｂで正常な向きで表示される。また、図４（ｃ）の第３の設置例では、図４（ａ）で示した電話装置本体１０の第１の設置位置を反時計回りに９０度回転した場合である。したがって、受信画像回転部５において、基準方向の画像（すなわち図４（ａ）の表示部６ｂで表示される画像）に対して受信画像を時計周りに９０度回転させる処理を行う。
【００５８】
このように、電話装置において撮像部１ｂを着脱可能に設け、その撮像部１ｂの接続端子である撮像鉛直方向検出部２ｂによって、電話装置本体１０の向きおよび表示部６ｂの向きを検出できる。この表示部６ｂの向きに応じて、受信された画像が表示部６ｂに表示される場合に正常に表示されるように画像を回転することで、使用者が正常な画像を見ることが可能となる。
【００５９】
[ 第２の実施の形態 ]
本発明の第２の実施の形態の電話装置は、表示手段の鉛直方向に基づいて、撮像画像および表示画像を回転処理することにより、電話装置の通話の形態にかかわらず、撮像画像および表示画像を正常な状態で送信および表示することができるものである。図５は本発明の第２の実施の形態に係る電話装置の構成を示すブロック図、図６は着脱可能な表示部６ｃを有する電話装置本体１０の一構成を示す斜視図である。図において、第１の実施の形態に含まれる手段と同様の作用をするものについては、その説明は省略する。
【００６０】
図５に示すように、第２の実施の形態の電話装置は、被写体を撮像し、被写体の像に応じた画像信号を生成する撮像部１と、撮像部１からの画像信号を受け取り回転処理を行う送信画像回転部３と、無線又は有線回線である通信回線を介して、自身側から送る画像信号を変調し送信を行う通信部４とを有して構成される。
【００６１】
また、無線又は有線回線である通信回線を介して受信した画像信号を受信し復調する通信手段４と、表示部６の鉛直方向を検出し、電話装置本体の向きを決定するための表示方向検出手段に該当する表示鉛直方向検出部１３と、復調された画像信号を受け取り、前記表示鉛直方向検出部１３によって検出された表示部６の鉛直方向に基づいて回転処理を行う受信画像回転部５と、回転処理を施した画像信号を映像として表示する表示部６とを備える。なお、ここでは、電話装置の向きとして、電話装置本体と撮像部及び表示部との向きが同じであるとする。
【００６２】
送信動作としては、まず、被写体を撮像部１で撮像し、該撮像部１で撮像した被写体に関する画像データを電気的信号に変換し、その画像データを送信画像回転部３に出力する。表示鉛直方向検出部１３は表示部６の鉛直方向、つまり電話装置本体の向きおよび撮像部１の向きを検出し、その結果を送信画像回転部３および受信画像回転部５に出力する。この表示鉛直方向検出部１３は、たとえば、図２に示したものと同様の構成のものを用いればよい。次いで、表示部の鉛直方向の情報、つまり撮像部の向きの情報と、撮像部によって撮像された撮像画像の画像信号とを受信した送信画像回転部３は、撮像部１の鉛直方向の情報に基づいて、撮像画像において撮像部１の鉛直方向の上側が相手側に送信する画像の上側となるように、画像信号を回転処理する。そして、送信画像回転部３で処理された画像信号は、通信部４で変調され、通信回線を介して相手側に送信される。
【００６３】
受信動作としては、まず、通信部４によって受信した画像信号を復調し、受信画像回転部５に出力する。受信画像回転部５は、前記表示鉛直方向検出部１３より検出された表示部６の鉛直方向の情報に基づいて、画像信号に基づく受信画像の上側を、表示部６に対して鉛直方向の上側に表示されるように、すなわち相手側から送られてきた映像が自身側で正常に表示できるように、画像信号の回転処理を行う。そして、回転処理を施した画像は、表示部６において映像として表示される。
【００６４】
次に、本実施形態における電話装置の設置例を、図６を参照して説明する。図６において、電話装置は、撮像部１ｃと、電話装置本体１０の接続端子を兼ね、表示部６ｃが接続された端子により表示部６ｃの鉛直方向を検出する（すなわち電話装置本体の向きを検出する）表示鉛直方向検出部１３ａと、電話装置本体１０から着脱可能に構成され、電話装置本体１０の上面（アンテナ側）および左右側面に設けられた表示部６ｃとを有して構成される。図６（ａ）〜（ｃ）は、ハンズフリーで用いる場合における電話装置本体１０の第１〜第３の設置例を示しており、図において、図５に含まれる手段と同様の作用をするものについては、その説明は省略する。
【００６５】
図６の一実施例における表示部６ｃは、電話装置本体に着脱可能であり、表示部６ｃが電話装置本体のどこに差し込まれたかにより電話装置本体の向きを定めるものである。つまり、表示部６ｃが電話装置の右側面に接続された場合には、電話装置の左側面を下にして置くと想定し、それに合うように送信画像回転部５によって、撮像画像を回転させる。なお、表示部６ｃは、使用者に対して画像が正常に表示されるように、使用者により自由に設置されるため、受信画像の回転処理を行う必要はない。
【００６６】
図６（ａ）は、電話装置本体の上面が図において左側にくるように、電話装置本体１０の長手方向を設置面に対して水平に置いた例であり、この図６（ａ）の設置例を基準とすると、図６（ａ）において、撮像部１により撮像された被写体１１の画像データは、回転処理を行うことなく、送信画像１２として正常な向きで送信され、通信部を介して受信した画像は、正常な向きで表示される。
【００６７】
図６（ｂ）の第２の設置例は、図６（ａ）の第１の設置例に対し、１８０度回転して設置された場合を示している。この場合、撮像部１ｃにより撮像された被写体は、１８０度反転した画像、すなわち被写体の上下が逆さになった画像として、送信画像回転部３に出力される。したがって、送信画像回転部３は、表示鉛直方向検出部１３ａにより検出された表示部６ｃの鉛直方向に基づいて、つまり撮像部１ｃの向きに基づいて、撮像部１ｃの鉛直方向の上側、すなわち被写体の鉛直方向の上側となる方向を送信する画像の上側とな
るように、被写体の画像信号を回転処理し、通信部４を介して送信画像１２として相手に送信する。また、図６（ｃ）の第３の設置例では、図６（ａ）で示した電話装置本体１０の第１の設置位置を反時計回りに９０度回転した場合である。したがって、送信画像回転部において、撮像画像を、基準方向の画像（すなわち図６（ａ）の撮像部１ｃで撮像される画像）に対して時計周りに９０度回転させる処理を行う。
【００６８】
このように、電話装置において表示部６ｃを着脱可能に設け、その表示部６ｃの接続端子である表示鉛直方向検出部１３ａによって、電話装置本体１０の向きおよび撮像部１ｃの向きを検出できる。この撮像部１ｃの向きに応じて、撮像された被写体の上側が送信する画像の上側となるように変換することで、使用者が正常な画像を送信することが可能となる。
【００６９】
図６では、表示部６ｃを着脱可能とし、表示鉛直方向検出部１３ａをその接続端子としたが、変形例として、表示鉛直方向検出部を別体とし、電話装置本体１０の背面や正面に設置することも可能であり、この構成を限定するものではない。この場合は、表示鉛直方向検出部１３ａの表示部６ｃの鉛直方向に基づき、受信画像回転部５により受信画像の回転処理を行い、正常な向きに表示されるようにする必要がある。
【００７０】
本発明の第１および第２の実施の形態では、電話装置は、直方体を有し、屈曲部を設け折畳み可能な構成としたが、このような構造に限定されず、如何なる電話装置本体の形状および設置位置によっても、撮像の方向に応じて撮像画像の向きを自由に変換することができ、また表示部の方向に応じて受信した表示画像の向きを自由に変換することができる。
【００７１】
[ 第３の実施の形態 ]
第３の実施の形態における電話装置は、撮像手段の鉛直方向に基づいて、撮像画像および受信画像を回転処理することにより、電話装置の通話の形態にかかわらず、撮像画像および受信画像を正常な状態で送信および表示することができるものである。さらに、通信手段を介して相手側に送信する音声および通信手段を介して相手側から受信した音声を、電話装置の通話の形態に適して生成することができるものである。図７は本発明の第３の実施の形態に係る電話装置の構成を示すブロック図である。第１の実施の形態および第２の実施の形態に含まれる手段と同様の作用をするものについては、同じ番号を付与し、その説明は省略する。
【００７２】
図７に示すように、本発明の第３の実施の形態の電話装置は、被写体を撮像し、被写体の像に応じた画像信号を生成する撮像部１と、この撮像部１の鉛直方向を検出する撮像鉛直方向検出部２と、撮像部１からの画像信号を受け取り回転処理を行う送信画像回転部３と、無線又は有線回線である通信回線を介して、画像信号を送受信し、変調又は復調する通信部４と、復調された画像信号を受け取り、該画像信号を回転処理する受信画像回転部５と、回転処理を施した画像信号を映像として表示する表示部６とを備える。
【００７３】
さらに、接話用のレシーバである第１の受話手段に該当する第１受話部１４と、ハンズフリー通話用のスピーカである第２の受話手段に該当する第２受話部１５と、撮像受話切換手段に該当する撮像受話切換部１６と、接話用のマイクである第１の送話手段に該当する第１送話部１７と、ハンズフリー通話用のマイクである第２の送話手段に該当する第２送話部１８と、撮像送話切換手段に該当する撮像送話切換部１９とを有して構成される。第２受話部１５は、第１受話部１４とは異なる増幅率の音声回路を有し、通信部から受信した音声信号を第１受話部１４とは異なる信号レベルに再生する。第２送話部１８は、第１送話部１７とは異なる増幅率を有し、入力した音声信号を第１受話部１４とは異なる信号レベルに生成する。なお、ここでは、電話装置の向きとして、電話装置本体と撮像部及び表示部との向きが同じであるとする。
【００７４】
撮像受話切換部１６は、撮像鉛直方向検出部２の出力結果に基づいて、つまり電話装置本体の向きに基づいて、電話装置本体の姿勢が図３（ｃ）、図４（ｃ）あるいは図６（ｃ）に示すような、接話に適した状態にあるときには、接話用のレシーバである第１受話部１４を選択し、図３（ａ）、図３（ｂ）、図４（ａ）、図４（ｂ）、図６（ａ）あるいは図６（ｂ）に示すような、ハンズフリー通話に適した状態にあるときには、ハンズフリー通話用のレシーバである第２受話部１５を選択する動作をする。
【００７５】
なお、撮像部１が着脱可能な構成の場合には、撮像部１が電話装置本体に装着されているときにはハンズフリー通話用のレシーバである第２受話部１５を選択し、撮像部１が電話装置本体に装着されていないときには接話用のレシーバである第１受話部１４を選択する構成としてもよい。また、撮像部１と接話用のレシーバである第１受話部１４とをお互いの背面を張り合わせ、電話装置本体に回動可能に取り付け、操作者による回動操作によって、撮像部１が電話装置本体の正面方向と同じ方向に向けられたときには第２受話部１５を選択し、第１受話部１４が電話装置本体の正面方向と同じ方向に向けられたときには第１受話部１４を選択する構成も可能である。また、第１受話部と第２受話部は別体ではなく、同一のスピーカを用い、撮像鉛直方向検出部２の出力結果に基づいて、受信した音声信号の増幅率を切り換えて、二つの異なる信号レベルに再生する構成も可能である。
【００７６】
撮像送話切換部１９は、撮像受話切換部１６と同様に、撮像鉛直方向検出部２の出力結果に基づいて、つまり電話装置本体の向きに基づいて、電話装置本体の姿勢が接話に適した状態にあるときには、接話用のマイクである第１送話部１７を選択し、ハンズフリー通話に適した状態にあるときには、ハンズフリー通話用のマイクである第２送話部１８を選択する動作をする。
【００７７】
なお、撮像部１が着脱可能な場合、撮像部１が電話装置本体に装着されているときにはハンズフリー通話用のマイクである第２送話部１８を選択し、撮像部１が電話装置本体に装着されていないときには接話用のマイクである第１送話部１７を選択する構成としてもよい。また、撮像部１と接話用のマイクである第１送話部１７とをお互いの背面を張り合わせ、電話装置本体に回動可能に取り付け、操作者による回動操作によって、撮像部１が電話装置本体の正面方向と同じ方向に向けられたときには第２送話部１８を選択し、第１送話部１７が電話装置本体の正面方向と同じ方向に向けられたときには第１送話部１７を選択する構成も可能である。また、第１送話部と第２送話部は別体ではなく、同一のマイクを用い、撮像鉛直方向検出部２の出力結果に基づいて、入力した音声信号の増幅率を切り換え、異なる信号レベルを生成する構成も可能である。
【００７８】
上記のような構成において、音声の送信を行う際、撮像送話切換部１９は、撮像鉛直方向手段２から撮像部１の鉛直方向を受信し、その撮像部の鉛直方向に基づいて、つまり電話装置本体の向きに基づいて、第１送話部１７または第２送話部１８を選択して使用可能し、選択した送話手段から出力された送信音声信号を受け取り、通信部４に出力する。そして、送信画像回転部３から出力された画像信号と共に、上記生成された送信音声信号を受信した通信部４は、両方の信号を変調し、通信回線を介して相手側に送信する。
【００７９】
一方、音声の受信を行う際、まず、通信部４が受信した画像信号および音声信号を復調し、受信画像回転部５および撮像受話切換部１６に各々出力する。撮像受話切換部１６は、撮像鉛直方向検出部２からの撮像部１の鉛直方向に基づき、つまり電話装置本体の向きに基づき、第１受話部または第２受話部を選択し、通信部４から出力された受信音声信号を選択した受話手段に出力する。そして、該受話手段により、電話装置の通話の形態に適した音声信号に再生される。
【００８０】
このように、撮像部１の向き、つまり、電話装置本体の向きに応じて、常に撮像された被写体の上側が送信する画像の上側となるように変換し、また、受信された画像が表示部６に表示される場合に正常に表示されるように変換することで、使用者が正常な画像を送信するまたは表示することが可能となる。また、電話装置本体の向きによって受話手段および送話手段を切り換えることができ、使用者が通話形態に適した状態で通話を行うことが可能となる。
【００８１】
[ 第４の実施の形態 ]
第４の実施の形態における電話装置は、表示手段の鉛直方向に基づいて、撮像画像および受信画像を回転処理することにより、電話装置の通話の形態にかかわらず、撮像画像および受信画像を正常な状態で送信および表示することができるものである。さらに、通信手段を介して相手側に送信する音声および通信手段を介して相手側から受信した音声を、電話装置の通話の形態に適して生成することができるものである。図８は、本発明の第４の実施の形態に係る電話装置の構成を示すブロック図である。第１〜第３の実施の形態に含まれる手段と同様の作用をするものについては同じ番号を付与し、その説明は省略する。
【００８２】
図８に示すように、本発明の第４の実施の形態の電話装置は、被写体の像に応じた画像信号を生成する撮像部１と、撮像した画像信号を回転処理する送信画像回転部３と、画像信号を送受信し、変調または復調する通信部４と、表示部６の鉛直方向を検出する表示鉛直方向検出部１３と、受信した画像信号を回転処理する受信画像回転部５と、回転処理を施した画像信号を映像として表示する表示部６とを備える。
【００８３】
さらに、接話用のレシーバである第１受話部１４と、ハンズフリー通話用のスピーカである第２受話部１５と、表示受話切換手段に該当する表示受話切換部２０と、接話用のマイクである第１送話部１７と、ハンズフリー通話用のマイクである第２送話部１８と、表示送話切換手段に該当する表示送話切換部２１とを有して構成される。なお、ここでは、電話装置の向きとして、電話装置本体と撮像部及び表示部との向きが同じであるとする。
【００８４】
表示受話切換部２０は、表示鉛直方向検出部１３の出力結果に基づいて、つまり電話装置本体の向きに基づいて、電話装置本体の姿勢が接話に適した状態にあるときには、接話用の第１受話部１４を選択し、ハンズフリー通話に適した状態にあるときには、ハンズフリー通話用の第２受話部１５を選択する動作をする。
【００８５】
なお、表示部６が着脱可能な場合には、表示部６が電話装置本体に装着されているときにはハンズフリー通話用の第２受話部１５を選択し、表示部６が電話装置本体に装着されていないときには接話用の第１受話部１４を選択する構成としてもよい。また、表示部６と接話用の第１受話部１４とをお互いの背面を張り合わせ、電話装置本体に回動可能に取り付け、操作者による回動操作によって、表示部６が電話装置本体の正面方向と同じ方向に向けられたときには第２受話部１５を選択し、第１受話部１４が電話装置本体の正面方向と同じ方向に向けられたときには第１受話部１４を選択する構成も可能である。また、第１受話部と第２受話部は別体ではなく、同一のスピーカを用い、表示鉛直方向検出部１３の出力結果に基づいて、受信した音声信号の増幅率を切り換え、二つの異なる信号レベルに再生する構成も可能である。
【００８６】
表示送話切換部２１は、表示受話切換部２０と同様に、表示鉛直方向検出部１３の出力
結果に基づいて、つまり電話装置本体の向きに基づいて、電話装置本体の姿勢が接話に適した状態にあるときには、接話用の第１送話部１７を選択し、ハンズフリー通話に適した状態にあるときには、ハンズフリー通話用の第２送話部１８を選択する動作をする。
【００８７】
なお、表示部６が着脱可能な場合には、表示部６が電話装置本体に装着されているときにはハンズフリー通話用の第２送話部１８を選択し、表示部６が電話装置本体に装着されていないときには接話用の第１送話部１７を選択する構成としてもよい。また、表示部６と接話用の第１送話部１７とをお互いの背面を張り合わせ、電話装置本体に回動可能に取り付け、操作者による回動操作によって、表示部６が電話装置本体の正面方向と同じ方向に向けられたときには第２送話部１８を選択し、第１送話部１７が電話装置本体の正面方向と同じ方向に向けられたときには第１送話部１７を選択する構成も可能である。また、第１送話部と第２送話部は別体ではなく、同一のマイクを用い、表示鉛直方向検出部１３の出力結果に基づいて、入力した音声信号の増幅率を切り換え、異なる信号レベルを生成する構成も可能である。
【００８８】
上記のような構成において、音声を送信する際、表示送話切換部２１は、表示鉛直方向検出部１３から表示部６の鉛直方向を受信し、その表示部６の鉛直方向に基づいて、つまり電話装置本体の向きに基づいて、第１送話部１７または第２送話部１８を選択して使用可能とする。そして表示送話切換部２１は、選択した送話手段から出力された音声に基づいて送信音声信号を生成し、通信部４に出力する。そして、送信画像回転部で処理された画像信号と共に、上記生成された送信音声信号を受信した通信部４は、両方の信号を変調し、通信回線を介して相手側に送信する。
【００８９】
一方、音声を受信する際には、まず、通信部４が受信した画像信号および音声信号を復調し、受信画像回転部５および表示受話切換部２０に各々出力する。表示受話切換部２０は、表示鉛直方向検出部１３からの表示部６の鉛直方向に基づき、つまり電話装置本体の向きに基づき、第１受話部または第２受話部を選択し、通信部４から出力された受信音声信号を選択した受話手段に出力する。そして、該受話手段により、電話装置の通話の形態に適した音声信号に再生される。
【００９０】
このように、表示部６の向き、つまり電話装置本体の向きに応じて、常に撮像された被写体の上側が送信する画像の上側となるように変換し、また、受信された画像が表示部６に表示される場合に正常に表示されるように変換することで、使用者が正常な画像を送信するまたは表示することが可能となる。また、表示部６の状態によって受話手段および送話手段を切り換えることができ、使用者が通話形態に適した状態で通話を行うことが可能となる。
【産業上の利用可能性】
【００９１】
本発明の電話装置によれば、撮像部や表示部の向きによって、撮像画像や受信画像の向きを変更でき、常に適切な画像を送信または表示することが可能な電話装置を提供することができ、また、撮像手段や表示手段の向きに応じて適した受話手段および送話手段を選択することができるという効果を奏し、映像情報及び音声情報を送受信する電話装置の分野において有用である。
【図面の簡単な説明】
【００９２】
【図１】本発明の第１の実施の形態に係る電話装置の構成を示すブロック図である。
【図２】撮像鉛直方向検出部の一構成を示す縦断面図である。
【図３】電話装置本体の設置例を示す斜視図である。
【図４】着脱可能な撮像部を有する電話装置本体の設置例を示す斜視図である。
【図５】本発明の第２の実施の形態に係る電話装置の構成を示すブロック図である。
【図６】着脱可能な表示部を有する電話装置本体の一構成を示す斜視図である。
【図７】本発明の第３の実施の形態に係る電話装置の構成を示すブロック図である。
【図８】本発明の第４の実施の形態に係る電話装置の構成を示すブロック図である。
【図９】従来のテレビ電話装置の構成を示すブロック図である。
【符号の説明】
【００９３】
１ 撮像部
２ 撮像鉛直方向検出部
３ 送信画像回転部
４ 通信部
５ 受信画像回転部
６ 表示部
１３ 表示鉛直方向検出部
１４ 第１受話部
１５ 第２受話部
１６ 撮像受話切換部
１７ 第１送話部
１８ 第２送話部
１９ 撮像送話切換部
２０ 表示受話切換部
２１ 表示送話切換部
【図１】
2006197623.tif 000003
【図２】
2006197623.tif 000004
【図３】
2006197623.tif 000005
【図４】
2006197623.tif 000006
【図５】
2006197623.tif 000007
【図６】
2006197623.tif 000008
【図７】
2006197623.tif 000009
【図８】
2006197623.tif 000010
【図９】
2006197623.tif 000011